(57)【要約】【課題】画像形成装置としての複写機１０に対して各種設定を行うためのユーザーの作業負担を低減する。【解決手段】コントローラー２１において、ＧＰＳ受信部１８により取得した複写機１０の座標位置情報を基に複写機１０の設置場所の住所を検出して、該検出した複写機１０の設置場所の住所がデータサーバーに記憶された特定の住所に一致するか否かを判定する（ステップＳＡ４）。そして、一致すると判定した場合には、上記複写機１０の設置場所の住所が属する地図上の地域に拘わらず、上記特定の住所に対応付けて予め設定した設定地域に応じた設定処理を実行する（ステップＳＡ６及びＳＡ７）。【選択図】図４
2014213536.tif 000002
【特許請求の範囲】
【請求項１】
用紙に画像を記録する画像形成装置と、該画像形成装置の設置場所を検出するための場所検出手段と、該場所検出手段により検出された場所が、地図上において複数の地域のうちいずれの地域に属するかを判定する地域判定手段と、該地域判定手段により判定された地域に応じた設定処理を上記画像形成装置に対して実行する設定手段と、を備えた画像形成システムであって、
特定の場所と、当該特定の場所が属する地図上の地域とは異なる、予め設定された設定地域と、を対応付けて記憶する記憶手段と、
上記場所検出手段により検出された上記画像形成装置の設置場所が、上記記憶手段により記憶された上記特定の場所に一致するか否かを判定する一致判定手段と、を備え、  
上記設定手段は、上記一致判定手段によって上記画像形成装置の設置場所が上記特定の場所に一致すると判定された場合には、上記地域判定手段により判定された地域に拘わらず、上記特定の場所に対応する上記設定地域に応じた設定処理を実行するように構成されている画像形成システム。
【請求項２】
請求項１記載の画像形成システムにおいて、
上記一致判定手段によって上記画像形成装置の設置場所が上記特定の場所に一致すると判定された場合において、上記地域判定手段により判定された地域と、上記特定の場所に対応する上記設定地域とを選択可能に表示する選択表示手段をさらに備え、
上記設定手段は、上記一致判定手段によって上記画像形成装置の設置場所が上記特定の場所に一致すると判定された場合であっても、上記選択表示手段によって、上記地域判定手段により判定された地域が選択されたときには、当該地域に応じた設定処理を実行するように構成されている画像形成システム。
【請求項３】
請求項１又は２記載の画像形成システムにおいて、
上記特定の場所は、大使館が存在する場所であり、
上記設定地域は、上記大使館の派遣元の国である画像形成システム。
【請求項４】
用紙に画像を記録する画像形成装置であって、
上記画像形成装置の設置場所を検出するための場所検出手段と、
上記場所検出手段により検出された場所が、地図上において複数の地域のうちいずれの地域に属するかを判定する地域判定手段と、
上記地域判定手段により判定された地域に応じた設定処理を実行する設定手段と、
特定の場所と、当該特定の場所が属する地図上の地域とは異なる、予め設定された設定地域と、を対応付けて記憶する記憶手段と、
上記場所検出手段により検出された上記画像形成装置の設置場所が、上記記憶手段により記憶された上記特定の場所に一致するか否かを判定する一致判定手段と、を備え、  
上記設定手段は、上記一致判定手段によって上記画像形成装置の設置場所が上記特定の場所に一致すると判定された場合には、上記地域判定手段により判定された地域に拘わらず、上記特定の場所に対応する上記設定地域に応じた設定処理を実行するように構成されている画像形成装置。
【請求項５】
請求項４記載の画像形成装置において、
上記一致判定手段によって上記画像形成装置の設置場所が上記特定の場所に一致すると判定された場合において、上記地域判定手段により判定された地域と、上記特定の場所に対応する上記設定地域とを選択可能に表示する選択表示手段をさらに備え、
上記設定手段は、上記一致判定手段によって上記画像形成装置の設置場所が上記特定の場所に一致すると判定された場合であっても、上記選択表示手段によって、上記地域判定手段により判定された地域が選択されたときには、当該地域に応じた設定処理を実行するように構成されている画像形成装置。
【請求項６】
請求項４又は５記載の画像形成装置において、
上記特定の場所は、大使館が存在する場所であり、
上記設定地域は、上記大使館の派遣元の国である画像形成装置。
【発明の詳細な説明】
【技術分野】
【０００１】
本発明は、画像形成システム及び画像形成装置に関する。
【背景技術】
【０００２】
従来より、画像形成装置が設置された地域に応じて表示パネルの言語や用紙サイズ等の設定処理を自動で行うようにした画像形成システムは知られている。
【０００３】
例えば、特許文献１に示す画像形成システムは、ＧＰＳ衛星からの電波を受信することにより画像形成装置の座標位置を取得するＧＰＳ受信装置と、ＧＰＳ受信装置にて受信した座標位置を基に画像形成装置に対して各種の設定処理を実行する設定手段と、を有している。この設定手段は、ＧＰＳ受信装置にて取得された座標位置が属する地図上の地域を判定して、当該地域に応じた設定処理を実行するように構成されている。
【先行技術文献】
【特許文献】
【０００４】
【特許文献１】特開２００８−２１６７５２号公報
【発明の概要】
【発明が解決しようとする課題】
【０００５】
ところで、例えば、日本に存在する大使館などに画像形成装置を設置する場合、画像形成装置に対する各種の設定を、日本向けではなくこの大使館の派遣元の国に応じた設定にすることが好ましい。
【０００６】
しかしながら、上記画像形成システムでは、ＧＰＳ受信装置にて受信される画像形成装置の座標位置が地図上において日本に属する場合には、設定手段によって日本向けの（日本に応じた）設定処理が実行されてしまう。このため、例えば、日本に存在する大使館などに画像形成装置を設置した場合には、該設置後に、画像形成装置の設定をユーザーの手動操作により日本向けの設定から当該大使館の派遣元の国に応じた設定に変更する必要がある。したがって、ユーザーは画像形成装置の設定を変更するための作業を強いられることとなり、ユーザーの作業負担が大きいという問題がある。
【０００７】
本発明は、かかる点に鑑みてなされたものであり、その目的とするところは、画像形成装置に対して各種設定を行うためのユーザーの作業負担を低減することにある。
【課題を解決するための手段】
【０００８】
本発明に係る画像形成システムは、用紙に画像を記録する画像形成装置と、該画像形成装置の設置場所を検出するための場所検出手段と、該場所検出手段により検出された場所が、地図上において複数の地域のうちいずれの地域に属するかを判定する地域判定手段と、該地域判定手段により判定された地域に応じた設定処理を上記画像形成装置に対して実行する設定手段と、を備えている。
【０００９】
そして、特定の場所と、当該特定の場所が属する地図上の地域とは異なる、予め設定された設定地域と、を対応付けて記憶する記憶手段と、上記場所検出手段により検出された上記画像形成装置の設置場所が、上記記憶手段により記憶された上記特定の場所に一致するか否かを判定する一致判定手段と、を備え、上記設定手段は、上記一致判定手段によって上記画像形成装置の設置場所が上記特定の場所に一致すると判定された場合には、上記地域判定手段により判定された地域に拘わらず、上記特定の場所に対応する上記設定地域に応じた設定処理を実行するように構成されている。
【００１０】
この構成によると、場所検出手段により検出された画像形成装置の場所が、上記記憶手段により記憶された特定の場所（例えば、大使館が存在する場所）に一致すると一致判定手段により判定された場合には、地域判定手段により判定された地域に拘わらず、上記特定の場所に対応付けて予め設定された設定地域（例えば、大使館の派遣元の国）に応じた設定処理が設定手段により実行される。尚、本明細書において、「地域」とは、例えば、国や州など、人為的に区画された地図上の地域を意味する。
【００１１】
したがって、例えば、大使館などに画像形成装置を設置する場合に、画像形成装置の設定を、当該大使館が属する地図上の地域に応じた設定から、当該大使館の派遣元の地域に応じた設定に変更する手間が省ける。よって、画像形成装置に対して各種の設定を行うためのユーザーの作業負担を低減することができる。
【００１２】
上記画像形成システムは、上記一致判定手段によって上記画像形成装置の設置場所が上記特定の場所に一致すると判定された場合において、上記地域判定手段により判定された地域と、上記特定の場所に対応する上記設定地域とを選択可能に表示する選択表示手段をさらに備え、上記設定手段は、上記一致判定手段によって上記画像形成装置の設置場所が上記特定の場所に一致すると判定された場合であっても、上記選択表示手段によって、上記地域判定手段により判定された地域が選択されたときには、当該地域に応じた設定処理を実行するように構成されていることが好ましい。
【００１３】
この構成によると、上記画像形成装置の設置場所が上記特定の場所に一致すると一致判定手段により判定された場合には、上記地域判定手段により判定された地域と、上記特定の場所に対応する上記設定地域とが選択表示手段により選択可能に表示される。そして、上記画像形成装置の設置場所が上記特定の場所に一致すると一致判定手段により判定された場合であっても、上記地域判定手段により判定された地域が、選択表示手段によって選択されたときには、当該地域に応じた設定処理が設定手段により実行される。
【００１４】
これによれば、特定の場所（例えば、大使館）における画像形成装置の設定処理を、ユーザーの意志を反映しながら自動的に行うことができる。また、選択表示手段により表示される地域は二つしかないので、ユーザーはこの二つの地域の中から所望の地域を選択すればよい。よって、多数の地域の中から所望の地域を選択する場合に比べて、地域の選択を迅速に且つ容易に行うことができる。
【００１５】
上記特定の場所は、大使館が存在する場所であり、上記設定地域は、上記大使館の派遣元の国であることが好ましい。
【００１６】
これによれば、大使館に画像形成装置を設置する場合に、大使館の派遣元の国に応じた設定処理が設定手段により実行される。よって、画像形成装置に対して各種の設定を行うためのユーザーの作業負担を低減することができる。
【００１７】
本発明に係る画像形成装置は、用紙に画像を記録するものである。そして、上記画像形成装置の設置場所を検出するための場所検出手段と、上記場所検出手段により検出された場所が、地図上において複数の地域のうちいずれの地域に属するかを判定する地域判定手段と、上記地域判定手段により判定された地域に応じた設定処理を実行する設定手段と、特定の場所と、当該特定の場所が属する地図上の地域とは異なる、予め設定された設定地域と、を対応付けて記憶する記憶手段と、上記場所検出手段により検出された上記画像形成装置の設置場所が、上記記憶手段により記憶された上記特定の場所に一致するか否かを判定する一致判定手段と、を備え、上記設定手段は、上記一致判定手段によって上記画像形成装置の設置場所が上記特定の場所に一致すると判定された場合には、上記地域判定手段により判定された地域に拘わらず、上記特定の場所に対応する上記設定地域に応じた設定処理を実行するように構成されている。
【００１８】
この構成によれば、場所検出手段により検出された画像形成装置の設置場所が、上記記憶手段により記憶された特定の場所（例えば、大使館が存在する場所）に一致すると一致判定手段により判定された場合には、地域判定手段により判定された地域に拘わらず、上記特定の場所に対応付けて予め設定された設定地域（例えば、大使館の派遣元の国）に応じた設定処理が設定手段により実行される。よって、上述した本発明に係る画像形成システムと同様の作用効果を得ることができる。
【００１９】
上記画像形成装置は、上記一致判定手段によって上記画像形成装置の設置場所が上記特定の場所に一致すると判定された場合において、上記地域判定手段により判定された地域と、上記特定の場所に対応する上記設定地域とを選択可能に表示する選択表示手段をさらに備え、上記設定手段は、上記一致判定手段によって上記画像形成装置の設置場所が上記特定の場所に一致すると判定された場合であっても、上記選択表示手段によって、上記地域判定手段により判定された地域が選択されたときには、当該地域に応じた設定処理を実行するように構成されていることが好ましい。また、上記特定の場所は、大使館が存在する場所であり、上記設定地域は、上記大使館の派遣元の国であることが好ましい。
【発明の効果】
【００２０】
本発明によれば、画像形成装置に対して各種設定を行うためのユーザーの作業負担を低減することができる。
【図面の簡単な説明】
【００２１】
【図１】実施形態１における画像形成システムを示すブロック図である。
【図２】設定用データ記憶部に記憶された設定用データの一例を示す図である。
【図３】データサーバーに記憶された特定住所データの一例を示す図である。
【図４】コントローラーにおける設定制御を示すフローチャートである。
【図５】実施形態１の変形例を示す図１相当図である。
【図６】実施形態１の変形例を示す図２相当図である。
【図７】実施形態２を示す図４相当図である。
【発明を実施するための形態】
【００２２】
以下、本発明の実施形態を図面に基づいて詳細に説明する。尚、本発明は、以下の実施形態に限定されるものではない。
《実施形態１》
【００２３】
図１は、実施形態１における画像形成装置としての複写機１０を含む画像形成システム１００のブロック図である。
【００２４】
画像形成システム１００は、複写機１０とデータサーバー３０とを含んでいる。
【００２５】
複写機１０は、操作表示部１１、画像読取部１２、画像データ記憶部１３、画像処理部１４、給紙カセット部１５、画像形成部１６、通信部１７、ＧＰＳ受信部１８、設定用データ記憶部１９、設定情報記憶部２０と、コントローラー２１を備えている。
【００２６】
操作表示部１１は、液晶式のタッチパネル１１ａを有している。操作表示部１１は、タッチパネル１１ａ上に選択操作可能な操作ボタンを表示させる。操作表示部１１は、タッチパネル１１ａに表示された操作ボタンの操作情報をコントローラー２１に出力する。また、操作表示部１１は、コントローラー２１からの指令を受けてタッチパネル１１ａ上に種々の画面を表示する。この画面には、例えば用紙のサイズを選択するための用紙選択画面等が含まれる。
【００２７】
画像読取部１２は、コントローラー２１からの指令を受けて、プラテンガラス上に載置された原稿の画像をラインセンサにより読取って画像データに変換する。画像読取部１２は、該変換後の画像データを画像データ記憶部１３に出力する。
【００２８】
画像データ記憶部１３は、例えば半導体メモリー又はハードディスクなどにより構成されている。画像データ記憶部１３には、画像読取部１２にてスキャンした原稿画像データや、通信部１７が外部機器より受信したファクシミリ画像データ等が記憶される。画像データ記憶部１３は、コントローラー２１からの指令を受けて画像データを記憶したり、該記憶した画像データを読み出して画像処理部１４に出力したりする。
【００２９】
画像処理部１４は、コントローラー２１からの指令を受けて、画像データ記憶部１３から入力される画像データに対して各種の画像処理を施すとともに、上記タッチパネル１１ａにて選択された用紙サイズに応じて画像データのサイズを調整（拡大又は縮小）する。画像処理部１４は、サイズ調整後の画像データを画像形成部１６に出力する。
【００３０】
画像形成部１６は、用紙を所定の搬送経路に沿って搬送するための搬送機構と、該搬送経路に設けられたプリントエンジン（感光ドラム、帯電器、現像装置、及び定着ローラーなど）とを有している。画像形成部１６は、コントローラー２１からの指令を受けて、給紙ローラーによって後述する給紙カセット部１５から搬送経路へと用紙を供給する。そして、画像形成部１６は画像処理部１４から入力された画像データに基づく画像を、上記プリントエンジンによって用紙に転写して定着させ、その後、当該用紙を排出ローラーにより排出トレイへと排出する。
【００３１】
給紙カセット部１５は、用紙が収容される第１〜第４カセット１５ａ〜１５ｄを有している。各カセット１５ａ〜１５ｄにはそれぞれ、異なるサイズの用紙が補充可能に収容される。
【００３２】
通信部１７は、イーサネット（登録商標）などのＬＡＮ規格に準拠した通信機能と、Ｇ３などのファクシミリ規格に準拠した通信機能とを兼ね備えている。通信部１７は、無線ＬＡＮを介して上記データサーバー３０と通信可能に接続されている。
【００３３】
ＧＰＳ受信部１８は、ＧＳＰ衛星４０からの電波を受信することにより複写機１０の座標位置を特定するとともに、特定した座標位置情報をコントローラー２１に出力する。
【００３４】
設定用データ記憶部１９は、フラッシュメモリなどの不揮発性メモリーにより構成されている。設定用データ記憶部１９には、タッチパネル１１ａに表示する言語や、複写機１０にて使用する用紙サイズが地域ごとにデータ化されて設定用データとして記憶されている。ここで、「地域」とは、例えば、国や州など、人為的に区画された地図上の地域を意味する。
【００３５】
図２は、上記設定用データの一例を示している。この設定用データにおいては、例えば日本に対しては、表示言語として日本語が設定されているとともに用紙サイズとしてＡ系Ｂ系サイズが設定されている。また、米国に対しては、表示言語として英語が設定されているとともに用紙サイズとしてインチ系が設定されている。欧州に対しては、表示言語として英語が設定されているとともに用紙サイズとしてＡ系Ｂ系サイズが設定されている。尚、図２に示す設定用データには、日本、米国、及び欧州の３つの地域に対しての設定のみが示されているが、実際の設定用データには中国や韓国など多数の地域に対する設定が含まれている。
【００３６】
設定情報記憶部２０には、後述する設定制御部２１ａにより設定（決定）されたタッチパネル１１ａの表示言語及び複写機１０にて使用する用紙サイズが設定情報として記憶されている。
【００３７】
コントローラー２１は、ＣＰＵ、ＲＯＭ及びＲＡＭ等を有するマイクロコンピューターからなる。コントローラー２１は、設定制御部２１ａと主制御部２１ｂとを有している。
【００３８】
設定制御部２１ａは、上記設定用データ記憶部１９に記憶された設定用データを基に各種の設定処理を実行する。詳しくは、設定制御部２１ａは、ＧＰＳ受信部１８にて受信された複写機１０の座標位置情報を基に、当該複写機１０の設置場所の住所を検出（特定）して、該検出した住所が属する地図上の地域と上記設定用データとを基に、表示言語及び用紙サイズの設定処理を実行する。
【００３９】
具体的には、設定制御部２１ａは、例えば上記検出した住所が属する地図上の地域が日本である場合には、上記設定用データに基づいて、タッチパネル１１の表示言語を日本語に設定（決定）して、その設定情報を設定情報記憶部２０に記憶させるとともに、複写機１０にて使用する用紙サイズをＡ系Ｂ系サイズに設定（決定）して、その設定情報を設定情報記憶部２０に記憶させる。
【００４０】
ところで、例えば大使館などに複写機１０を設置する場合には、表示言語や用紙サイズの設定を大使館の派遣元の国（地域）に応じた設定とするが望ましい。そこで、本実施形態では、設定制御部２１ａは、複写機１０の設置場所がデータサーバー３０に記憶された特定の住所と一致するか否かを判定して、一致すると判定した場合には、当該特定の住所に対応付けて予め設定された設定地域に応じた設定処理を実行するように構成されている。設定制御部２１ａにおける設定制御の詳細については後述する。
【００４１】
主制御部２１ｂは、上記ＲＯＭに記憶された制御プログラムを実行することにより、複写機１０の動作制御及びタッチパネル１１ａの表示制御を実行する。
【００４２】
主制御部２１ｂにおける表示制御は、上記設定情報記憶部２０に記憶された設定情報を基に実行される。具体的には、主制御部２１ｂは、設定情報記憶部２０に記憶された設定情報を基に、用紙サイズの設定がＡ系Ｂ系サイズであると判定した場合には、第１カセット１５ａ、第２カセット１５ｂ、第３カセット１５ｃ、及び第４カセット１５ｄに収容される用紙のサイズがそれぞれ、Ａ４サイズ、Ｂ４サイズ、Ａ３サイズ、及びＢ５サイズであると認識して、タッチパネル１１ａの用紙選択画面に各用紙サイズに対応する選択ボタンを表示させる。
【００４３】
主制御部２１ｂは、設定情報記憶部２０に記憶された用紙サイズの設定情報を基に、用紙サイズの設定がインチ系サイズであると判定した場合には、第１カセット１５ａ、第２カセット１５ｂ、第３カセット１５ｃ、及び第４カセット１５ｄに収容される用紙のサイズがそれぞれ、レター、リーガル、レジャー、及びエクゼクティブであると認識して、タッチパネル１１ａの用紙選択画面に各用紙サイズに対応する選択ボタンを表示させる。
【００４４】
上記データサーバー３０は、無線ＬＡＮを介して通信部１７に接続されている。データサーバー３０には、特定の住所（場所）と、該特定の住所に対応付けて予め設定された上記設定地域とがテーブルデータ化されて特定住所データとして記憶されている。この設定地域は、当該特定の住所が属する地図上の地域とは異なる地域として設定されている。
【００４５】
図３は、データサーバー３０に記憶された特定住所データの一例を示している。この特定住所データにおいて、「特定の住所」の欄には日本に存在する全ての大使館の住所が記述され、「設定地域」の欄には各大使館の派遣元の国（地域）が記述されている。尚、特定住所データにおける「特定の住所」の欄に、日本に存在する米軍基地の住所を記述して、「設定地域」の欄に当該基地の派遣元の国である米国を記述するようにしてもよい。
【００４６】
次に、図４のフローチャートを参照しながら、コントローラー２１（設定制御部２１ａ）における設定制御について詳細に説明する。
【００４７】
ステップＳＡ１では、コントローラー２１における設定処理が既に完了しているか否かを判定し、この判定がＹＥＳである場合にはリターンする一方、ＮＯである場合にはステップＳＡ２に進む。
【００４８】
ステップＳＡ２では、ＧＰＳ受信部１８より入力される複写機１０の座標位置情報を取得する。
【００４９】
ステップＳＡ３では、ステップＳＡ２で取得した複写機１０の座標位置情報を基に複写機１０の設置場所の住所を検出（特定）する。
【００５０】
ステップＳＡ４では、ステップＳＡ３で検出した複写機１０の設置場所の住所が、データサーバー３０に記憶された特定の住所に一致するか否か（詳しくは、データサーバー３０に記憶された特定の住所の中に、ステップＳＡ３で検出した複写機１０の設置場所の住所が含まれているか否か）を判定し、この判定がＮＯである場合にはステップＳＡ８に進む一方、ＹＥＳである場合にはステップＳＡ５に進む。
【００５１】
ステップＳＡ５では、データサーバー３０に記憶された特定の住所のうち複写機１０の設置場所の住所に一致する住所を判別して、判別した住所に対応する設定地域を上記特定住所データから読取る。
【００５２】
ステップＳＡ６では、ステップＳＡ５で読取った設定地域に応じた言語をタッチパネル１１の表示言語として設定するとともに、その設定情報を設定情報記憶部２０に記憶させる。
【００５３】
ステップＳＡ７では、ステップＳＡ５で読取った設定地域に応じた用紙サイズを複写機１０にて使用する用紙サイズとして設定するとともに、その設定情報を設定情報記憶部２０に記憶させ、しかる後にリターンする。
【００５４】
ステップＳＡ４の判定がＮＯである場合に進むステップ８では、複写機１０の設置場所の住所が属する地図上の地域を特定する。  
【００５５】
ステップＳＡ９では、ステップＳＡ８で特定した地図上の地域に応じた言語をタッチパネル１１の表示言語として設定するとともに、その設定情報を設定情報記憶部２０に記憶させる。
【００５６】
ステップＳＡ１０では、ステップＳＡ８で特定した地図上の地域に応じた用紙サイズを複写機１０にて使用する用紙サイズとして設定するとともに、その設定情報を設定情報記憶部２０に記憶させ、しかる後にリターンする。
【００５７】
上記実施形態１における画像形成システム１０によれば、ユーザーが複写機１０の設置を完了すると、複写機１０の設置場所の住所がデータサーバー３０に記憶された特定の住所（上記実施形態では、日本に存在する大使館の住所）に一致しない限り、当該住所が属する地図上の地域に応じた設定処理がコントローラー２１（設定制御部２０ａ）により自動で実行される（ステップＳＡ９及びＳＡ１０）。
【００５８】
これに対して、ユーザーが複写機１０を日本に存在する大使館に設置した場合には、複写機１０の設置場所の住所がデータサーバー３０に記憶された特定の住所に一致することとなり、この結果、当該住所に対応付けて予め設定された設定地域（上記実施形態では、大使館の派遣元の国）に応じた設定処理がコントローラー２１により自動で実行される（ステップＳＡ６及びＳＡ７）。したがって、ユーザーは、タッチパネル１１ａの表示言語の設定や複写機１０にて使用する用紙サイズの設定を、当該大使館が属する地図上の地域に応じた設定から、当該大使館の派遣元の地域に応じた設定に変更する手間が省ける。よって、複写機１０に対して各種の設定を行うためのユーザーの作業負担を低減することができる。
《変形例》
【００５９】
図５及び図６は、実施形態１の変形例を示している。この変形例は、複写機１０の側面に後処理装置５０が連結されている点、及び、設定用データ記憶部１９に記憶された設定用データにパンチ孔の孔数設定が含まれている点で上記実施形態と異なっている。尚、以下の変形例において、図１及び図２と同じ部分については同じ符号を付して、その詳細な説明を省略する。  
【００６０】
上記後処理装置５０は、複写機１０より排出された印刷済みの用紙に対してパンチ孔を穿孔するパンチ孔穿孔部５１と、ステープル処理部５２と、複数の印刷済みの用紙を一定枚数ずつに仕分ける仕分け処理部５３と、後処理コントローラー５４とを有している。
【００６１】
後処理コントローラー５４は、複写機１０のコントローラー２１に信号の授受可能に接続されている。後処理コントローラー５４は、上記コントローラー２１からの指令を受けて、パンチ孔穿孔部５１、ステープル処理部５２及び仕分け処理部５３の作動制御を行う。
【００６２】
図６に示すように、複写機１０の設定用データ記憶部１９には、タッチパネル１１ａの表示言語及び用紙サイズに加えてパンチ孔の孔数が地域ごとにテーブルデータ化されて設定用データとして記憶されている。この設定用データによれば、例えば日本に対してはパンチ孔の孔数が２つに設定され、米国に対してはパンチ孔の孔数が３つに設定され、欧州に対してはパンチ孔の孔数が４つに設定されている。
【００６３】
したがって、本変形例では、設定制御部２１ａによって、タッチパネル１１ａの表示言語及び用紙サイズの設定処理に加えてパンチ孔の孔数の設定処理が実行される。設定情報記憶部２０には、タッチパネル１１ａの表示言語及び用紙サイズに加えて、設定制御部２１ａにより設定されたパンチ孔の孔数の設定情報が記憶される。
【００６４】
複写機１０のコントローラー２１は、用紙にパンチ孔を穿孔するための操作指示を操作表示部１１より受け付けた場合には、後処理コントローラー５４に対してパンチ孔の穿孔指令を行うとともに、後処理コントローラー５４に対して設定情報記憶部２０に記憶されたパンチ孔の孔数設定情報を出力する。
【００６５】
後処理コントローラー５４は、上記複写機１０のコントローラー２１よりパンチ孔の穿孔指令を受けた場合には、該コントローラー２１より入力されるパンチ孔の孔数設定情報を基に、印刷済みの用紙に対してパンチ孔を穿孔する。
【００６６】
したがって、本変形例によれば、タッチパネル１１ａの表示言語及び用紙サイズの設定処理に加えて、パンチ孔穿孔部５１にて穿孔する孔数の設定処理がコントローラー２１により自動で実行される。したがって、複写機１０に対して各種の設定を行うためのユーザーの作業負担をより一層低減することができる。
《実施形態２》
【００６７】
図７は、実施形態２を示している。この実施形態２は、コントローラー２１（設定制御部２１ａ）における設定制御を上記実施形態１とは異ならせたものである。
【００６８】
ステップＳＢ１〜ステップＳＢ５の処理は、実施形態１におけるステップＳＡ１〜ステップＳＡ５の処理と同様である。
【００６９】
ステップＳＢ６では、複写機１０の設置場所の住所が属する地図上の地域を特定する。
【００７０】
ステップＳＢ７では、ステップＳＢ５で読取った設定地域と、ステップＳＢ６で特定した地図上の地域とのいずれかを選択するための地域選択画面をタッチパネル１１ａに表示させる。
【００７１】
ステップＳＢ８では、上記地域選択画面を介して選択された地域に応じた言語をタッチパネル１１の表示言語として設定するとともに、その設定情報を設定情報記憶部２０に記憶させる。
【００７２】
ステップＳＢ９では、上記地域選択画面を介して選択された地域に応じた用紙サイズを複写機１０にて使用する用紙サイズとして設定するとともに、その設定情報を設定情報記憶部２０に記憶させ、しかる後にリターンする。
【００７３】
ステップＳＢ１０〜ステップＳＢ１２の処理は、実施形態１におけるステップＳＢ８〜ステップＳＢ１０の処理と同様である。
【００７４】
上記実施形態２における画像形成システム１００によれば、複写機１０の設置場所の住所がデータサーバー３０に記憶された特定の住所（上記実施形態では、大使館の住所）に一致する場合には、コントローラー２１からの指令によりタッチパネル１１ａに地域選択画面が表示される。この地域選択画面には、複写機１０の設置場所の住所が属する地図上の地域と、上記特定の住所に対応付けて予め設定された設定地域（上記実施形態では、大使館の派遣元の地域）とが選択可能に表示される。そして、この地域選択画面にてユーザーが選択した地域に応じた設定処理がコントローラー２１により自動で実行される。
【００７５】
したがって、大使館等における複写機１０の設定処理を、ユーザーの意志を反映しながら自動的に行うことができる。また、タッチパネル１１ａの地域選択画面に表示される地域は二つしかないので、ユーザーはこの二つの地域の中から所望の地域を選択すればよい。よって、多数の地域の中から所望の地域を選択する場合に比べて、地域の選択を迅速に且つ容易に行うことができる。
【００７６】
《他の実施形態》
【００７７】
上記各実施形態では、データサーバー３０に特定の場所を示す住所を記憶させるようにしているが、これに限ったものではなく、例えば特定の場所を示す座標位置を記憶させるようにしてもよい。
【００７８】
上記実施形態では、データサーバー３０に特定の場所（住所）として大使館の場所を記憶させるようにしている、これに限ったものではなく、例えば、公使館、総領事館、領事館、及び外国軍隊の駐留基地の場所を記憶させるようにしてもよい。
【００７９】
上記実施形態では、複写機１０の設置場所を検出するための場所検出手段としてＧＰＳ受信部１８が設けられているが、ＧＰＳ受信部１８に加えてＷｉＦｉ（Ｗｉｒｅｌｅｓｓ  Ｆｉｄｅｌｉｔｙ）受信部をさらに備えるようにしてもよい。これによれば、例えば、複写機１０を地下に設置した場合など、ＧＰＳ受信部１８にてＧＰＳ衛星４０からの電波を受信し難い場合でも、ＷｉＦｉ受信部にて基地局からの電波を受信することで複写機１０の設置場所を大まかに検出することができる。よって、コントローラー２１による設定制御を確実に実行することができる。
【００８０】
上記実施形態では、特定の場所（住所）及び設定地域を複写機１０とは別のデータサーバー３０に記憶させるようにしているが、これに限ったものではなく、例えば、複写機１０に設けられた記憶手段に記憶させるようにしてもよい。
【００８１】
また、上記実施形態では、用紙に画像を記録する画像形成装置として複写機１０を採用した例を示したが、これに限ったものではなく、複写機能やプリンタ機能を併せ持った複合機を採用するようにしてもよい。
【００８２】
また、本発明は上記各実施形態及び変形例に限定されるものでなく、本発明には、これらの各実施形態及び変形例を適宜組み合わせた構成が含まれる。
【産業上の利用可能性】
【００８３】
以上説明したように、本発明は、画像形成システム及び画像形成装置に有用であり、特に、ＧＰＳ受信部を有する画像形成システム及び画像形成装置に有用である。
【符号の説明】
【００８４】
１０   複写機（画像形成装置）
１１ａ タッチパネル（選択表示手段）
１８   ＧＰＳ受信部（場所検出手段）
２０ａ コントローラーの設定制御部（場所検出手段、地域判定手段、設定手段、一致判定手段）
３０   データサーバー（記憶手段）  
１００ 画像形成システム    
【図１】
2014213536.tif 000003
【図２】
2014213536.tif 000004
【図３】
2014213536.tif 000005
【図４】
2014213536.tif 000006
【図５】
2014213536.tif 000007
【図６】
2014213536.tif 000008
【図７】
2014213536.tif 000009